(57)【要約】  【課題】  表示装置と撮像装置との電気的な接続を直接的に行なうことができ、接続された表示装置と撮像装置との間で映像の伝送が可能な表示装置システム、該表示装置システムを実現するための表示装置及び撮像装置を提供することを目的とする。  【解決手段】  液晶テレビ３にデジタルカメラ１を直接的に接続することが可能なカメラ接続コネクタ５０を設け、デジタルカメラ１に液晶テレビ３と電気的に接続することが可能なテレビ接続コネクタを設け、カメラ接続コネクタ５０及びテレビ接続コネクタを介して両装置を接続する。デジタルカメラ１は取得した画像をテレビ接続コネクタを介して液晶テレビ３へ送出し、液晶テレビ３は取得した映像をカメラ接続コネクタ５０を介してデジタルカメラ１へ送出する。デジタルカメラ１の画像表示部２２は液晶テレビ３から取得した映像を表示し、液晶テレビ３の表示部４３はデジタルカメラ１から取得した画像を表示する。【選択図】      図１
2005260591.tif 000002
【特許請求の範囲】
【請求項１】
筺体に表示部を有する表示装置において、
前記表示部の周囲のいずれかの箇所に、他の装置の電気的な接続を直接的に行ない、該他の装置を固定する接続部を備えることを特徴とする表示装置。
【請求項２】
前記接続部に接続された他の装置を収納する収納部を前記筺体に備えることを特徴とする請求項１に記載の表示装置。
【請求項３】
前記接続部への他の装置の接続を検知する検知手段を備えることを特徴とする請求項１又は２に記載の表示装置。
【請求項４】
請求項１乃至３のいずれかひとつに記載の表示装置に接続される撮像装置であって、
画像を表示する画像表示部と、
該画像表示部を前記表示部装置の表示部と同じ向きに配置させるように前記表示装置の接続部に接続される装置接続部と
を備えることを特徴とする撮像装置。
【請求項５】
請求項１乃至３のいずれかひとつに記載の表示装置に接続される撮像装置であって、
画像を撮像する撮像部と、
該撮像部を前記表示装置の表示部と同じ向きに配置させるように前記表示装置の接続部に接続される装置接続部と
を備えることを特徴とする撮像装置。
【請求項６】
表示部を有する表示装置に設けてある接続部に撮像装置が直接的に接続してなる表示装置システムであって、
前記撮像装置は、
接続状態で前記表示装置の表示部と同じ向きに配置され、画像を表示する画像表示部と、
画像を記録する記録部と、
該記録部に記録させてある画像を前記表示装置へ前記接続部を介して送出する送出手段とを備え、
前記表示装置の表示部は、前記撮像装置が送出した画像を表示すべくなしてあることを特徴とする表示装置システム。
【請求項７】
前記撮像装置は、
前記記録部に複数の画像が記録してある場合、前記記録部から異なる画像を同時に読み出す読出手段を備え、
前記送出手段は、前記読出手段が読み出した一方の画像を前記表示装置へ送出すべくなしてあり、
前記画像表示部は、他方の画像を表示すべくなしてあることを特徴とする請求項６に記載の表示装置システム。
【請求項８】
前記表示装置は、
デジタル放送波を受信してデジタル信号を抽出するデジタル放送受信部と、
該デジタル放送受信部が抽出したデジタル信号に係る画像に対して伸張処理を実行する画像伸張手段とを備え、
該画像伸張手段は、前記撮像装置が送出した画像に対して伸張処理を実行すべくなしてあり、
前記表示部は、前記画像伸張手段が伸張処理を行なった画像を表示すべくなしてあることを特徴とする請求項６又は７に記載の表示装置システム。
【請求項９】
前記撮像装置の画像表示部は、前記記録部に記録させてある画像のサムネイルを表示するように構成してあり、
前記撮像装置は、
前記記録部に記録させてある画像の選択を受け付ける受付手段を備え、
前記送出手段は、前記受付手段が選択を受け付けた画像を前記表示装置へ送出すべくなしてあることを特徴とする請求項６乃至８のいずれかひとつに記載の表示装置システム。
【請求項１０】
放送波の受信部からの映像を表示する表示部を有する表示装置に設けてある接続部に撮像装置が直接的に接続してなる表示装置システムであって、
前記表示装置は、前記受信部からの映像を前記撮像装置へ前記接続部を介して送出する映像送出手段を備え、
前記撮像装置は、前記表示装置の表示部と同じ向きに配置され、前記表示装置が送出した映像を表示する画像表示部を備えることを特徴とする表示装置システム。
【請求項１１】
前記表示装置は、
複数の前記受信部を備え、
前記表示部は、前記受信部のうちの少なくとも１つの受信部からの映像を表示すべくなしてあり、
前記映像送出手段は、他の受信部からの映像を前記撮像装置へ送出すべくなしてあることを特徴とする請求項１０に記載の表示装置システム。
【請求項１２】
前記撮像装置は、前記表示装置が送出した映像を記録する記録部を備えることを特徴とする請求項１０又は１１に記載の表示装置システム。
【請求項１３】
放送波の受信部からの映像を表示する表示装置において、
二次電池を有する他の装置との電気的な接続を行なう接続部と、
該接続部に接続された他の装置の二次電池の充電量を検出する検出手段と、
該検出手段が検出した充電量に基づいて、前記接続部を介して前記二次電池への給電を行なう給電部と
を備えることを特徴とする表示装置。
【請求項１４】
前記検出手段は、所定時間間隔で前記充電量を検出するように構成してあり、
前記検出手段が検出した充電量を示す情報を表示する表示手段を備えることを特徴とする請求項１３に記載の表示装置。
【発明の詳細な説明】
【技術分野】
【０００１】
本発明は、表示装置に撮像装置を直接的に接続してなる表示装置システム、該表示装置システムを構成するための表示装置及び撮像装置に関するものである。
【背景技術】
【０００２】
静止画像及び動画像等の撮像が可能なデジタルカメラが普及しており、デジタルカメラは、テレビジョン装置及びディスプレイ装置等の表示装置とケーブルを介して接続できるように構成されている（例えば、特許文献１参照）。従って、デジタルカメラで撮影した画像を表示装置へ転送して表示装置に表示させることが可能である。これにより、デジタルカメラに備えられている小型の表示モニタにおいて見難い画像を表示装置が備える大きな表示モニタに見易く表示させることができる。
【特許文献１】特許第２８０２９２９号公報
【発明の開示】
【発明が解決しようとする課題】
【０００３】
上述したようにデジタルカメラと表示装置とを接続する場合には、通常は、ＡＶ（Audio Video）ケーブル又はデジタルケーブルが用いられており、デジタルカメラで取得した画像を表示装置に表示させる都度、ケーブルを介して接続する必要があり、ユーザの作業負担が増えると共に、ケーブルを介した伝送処理はデータ量が多いデータ（映像）には不向きであるという問題がある。
【０００４】
また、デジタルカメラ及び表示装置は、デジタルカメラに記憶させてある画像を表示装置に表示させる場合のみに接続されて利用される場合が多く、記録機能を備えたデジタルカメラを有効に利用できていない。更に、デジタルカメラ及び表示装置が接続され、デジタルカメラに記憶させてある画像を表示装置に表示させる場合であっても、デジタルカメラの表示モニタと表示装置の表示モニタとには同じ画像が表示される場合が多く、２つの表示モニタを有効に利用できていないという問題がある。
【０００５】
一方、テレビジョン装置には、放送波から取得する映像の一部に異なる映像を縮小して上書きして表示モニタに表示するように構成された装置があり、この場合、表示モニタに表示された映像に欠如領域が生じてしまい、重要なデータの上に縮小された映像が上書きされた場合にはこれを見落とすおそれがあるという問題がある。
【０００６】
本発明は斯かる事情に鑑みてなされたものであり、表示装置と撮像装置との電気的な接続を直接的に行なうことができ、接続された表示装置と撮像装置との間で映像の伝送処理を相互に実行することができると共に、表示装置及び撮像装置の表示部に異なる画像を表示させ、両者の表示部を有効に利用することが可能な表示装置システム、該表示装置システムを実現するための表示装置及び撮像装置を提供することを目的とする。
【課題を解決するための手段】
【０００７】
本発明に係る表示装置は、筺体に表示部を有する表示装置において、前記表示部の周囲のいずれかの箇所に、他の装置の電気的な接続を直接的に行ない、該他の装置を固定する接続部を備えることを特徴とする。
【０００８】
本発明に係る表示装置は、前記接続部に接続された他の装置を収納する収納部を前記筺体に備えることを特徴とする。
【０００９】
本発明に係る表示装置は、前記接続部への他の装置の接続を検知する検知手段を備えることを特徴とする。
【００１０】
本発明による場合は、筺体に表示部を有する表示装置の前記表示部の周囲のいずれかの箇所に、外部の装置の電気的な接続を直接的に行ない、接続された装置を固定することが可能な接続部を設けることにより、外部の装置を容易に接続させることが可能となると共に、接続された装置と表示装置との間での映像の伝送処理における処理負担が軽減される。また、前記接続部を介して表示装置に接続された外部の装置を収納する収納部を前記筺体に設けることにより、接続された外部の装置と表示装置との接続状態を確実に維持することが可能となる。更に、表示装置が、接続部への外部の装置の接続を検知手段により検知することにより、外部の装置の接続を検知した場合に、接続された装置との間での画像の伝送処理を開始することができる。
【００１１】
本発明に係る撮像装置は、上述したような表示装置に接続される撮像装置であって、画像を表示する画像表示部と、該画像表示部を前記表示部装置の表示部と同じ向きに配置させるように前記表示装置の接続部に接続される装置接続部とを備えることを特徴とする。
【００１２】
本発明に係る撮像装置は、上述したような表示装置に接続される撮像装置であって、画像を撮像する撮像部と、該撮像部を前記表示装置の表示部と同じ向きに配置させるように前記表示装置の接続部に接続される装置接続部とを備えることを特徴とする。
【００１３】
本発明による場合は、上述したような表示装置が有する接続部に接続可能な装置接続部を有する撮像装置が、前記接続部を介して表示装置に接続された場合に、撮像装置の画像表示部が表示装置の表示部と同じ向きに配置されることにより、表示装置の表示部と撮像装置の画像表示部とを同時に視聴することが可能となる。また、前記撮像装置が前記接続部を介して表示装置に接続された場合に、撮像装置の撮像部が表示装置の表示部と同じ向きに配置することができることにより、表示装置の表示部を視聴しているユーザを対面撮影することが可能となる。
【００１４】
本発明に係る表示装置システムは、表示部を有する表示装置に設けてある接続部に撮像装置が直接的に接続してなる表示装置システムであって、前記撮像装置は、接続状態で前記表示装置の表示部と同じ向きに配置され、画像を表示する画像表示部と、画像を記録する記録部と、該記録部に記録させてある画像を前記表示装置へ前記接続部を介して送出する送出手段とを備え、前記表示装置の表示部は、前記撮像装置が送出した画像を表示すべくなしてあることを特徴とする。
【００１５】
本発明による場合は、表示装置が有する接続部に撮像装置を接続させてある表示装置システムにおいて、撮像装置は、記録部に記録してある画像を接続部を介して送出手段により表示装置へ送出する。表示装置は、撮像装置から取得した画像を表示部に表示させることにより、撮像装置に記録させてある画像を表示装置で視聴することが可能となる。また、撮像装置は、表示装置の表示部と同じ向きに配置される画像表示部を有しており、表示装置の表示部と撮像装置の画像表示部とを同時に視聴することが可能となる。
【００１６】
本発明に係る表示装置システムは、前記撮像装置は、前記記録部に複数の画像が記録してある場合、前記記録部から異なる画像を同時に読み出す読出手段を備え、前記送出手段は、前記読出手段が読み出した一方の画像を前記表示装置へ送出すべくなしてあり、前記画像表示部は、他方の画像を表示すべくなしてあることを特徴とする。
【００１７】
本発明による場合は、撮像装置は、記録部に複数の画像が記録してある場合、読出手段によって記録部から異なる画像を同時に読み出し、読み出した一方の画像を送出手段によって表示装置へ送出し、他方の画像を画像表示部に表示させることにより、撮像装置に記録させてある異なる画像を、撮像装置及び表示装置のそれぞれに表示させることが可能となる。
【００１８】
本発明に係る表示装置システムは、前記表示装置は、デジタル放送波を受信してデジタル信号を抽出するデジタル放送受信部と、該デジタル放送受信部が抽出したデジタル信号に係る画像に対して伸張処理を実行する画像伸張手段とを備え、該画像伸張手段は、前記撮像装置が送出した画像に対して伸張処理を実行すべくなしてあり、前記表示部は、前記画像伸張手段が伸張処理を行なった画像を表示すべくなしてあることを特徴とする。
【００１９】
本発明による場合は、表示装置は、デジタル放送波からデジタル放送受信部によってデジタル信号を抽出し、抽出したデジタル信号に係る画像に対して画像伸張手段によって伸張処理を実行するように構成されている。また、表示装置は、撮像装置から取得した画像に対して画像処理手段によって伸張処理を実行し、伸張処理を実行した画像を表示部に表示させることにより、伸張処理における処理負担を撮像装置においては軽減することが可能となる。
【００２０】
本発明に係る表示装置システムは、前記撮像装置の画像表示部は、前記記録部に記録させてある画像のサムネイルを表示するように構成してあり、前記撮像装置は、前記記録部に記録させてある画像の選択を受け付ける受付手段を備え、前記送出手段は、前記受付手段が選択を受け付けた画像を前記表示装置へ送出すべくなしてあることを特徴とする。
【００２１】
本発明による場合は、撮像装置は、記録部に記録させてある画像のサムネイルを画像表示部に表示させ、前記記録部に記録させてある画像の選択を受付手段によって受け付け、選択を受け付けた画像を表示装置へ送出して表示装置で表示することにより、表示装置に表示させる画像をユーザが容易に選択することが可能となる。
【００２２】
本発明に係る表示装置システムは、放送波の受信部からの映像を表示する表示部を有する表示装置に設けてある接続部に撮像装置が直接的に接続してなる表示装置システムであって、前記表示装置は、前記受信部からの映像を前記撮像装置へ前記接続部を介して送出する映像送出手段を備え、前記撮像装置は、前記表示装置の表示部と同じ向きに配置され、前記表示装置が送出した映像を表示する画像表示部を備えることを特徴とする。
【００２３】
本発明による場合は、表示装置が有する接続部に撮像装置を接続させてなる表示装置システムにおいて、表示装置は、受信部が放送波から取得した映像を前記接続部を介して撮像装置へ送出手段によって送出し、撮像装置は、表示装置が送出した映像を、前記表示装置の表示部と同じ向きに配置された画像表示部に表示させることにより、表示装置が放送波から取得した映像を撮像装置で表示することが可能となる。
【００２４】
本発明に係る表示装置システムは、前記表示装置は、複数の前記受信部を備え、前記表示部は、前記受信部のうちの少なくとも１つの受信部からの映像を表示すべくなしてあり、前記映像送出手段は、他の受信部からの映像を前記撮像装置へ送出すべくなしてあることを特徴とする。
【００２５】
本発明による場合は、表示装置は複数の受信部を有しており、少なくとも１つの受信部からの映像を表示部に表示させ、他の受信部からの映像を送出手段によって撮像装置へ送出することにより、表示装置及び撮像装置のそれぞれで同時に異なる放送番組を視聴することができ、それぞれに表示させる放送番組を自由に選択することが可能となる。
【００２６】
本発明に係る表示装置システムは、前記撮像装置は、前記表示装置が送出した映像を記録する記録部を備えることを特徴とする。
【００２７】
本発明による場合は、撮像装置は、表示装置が送出した映像を記録部に記録するように構成してあることにより、表示装置が受信部により取得した映像の録画装置として撮像装置を利用することが可能となる。
【００２８】
本発明に係る表示装置は、放送波の受信部からの映像を表示する表示装置において、二次電池を有する他の装置との電気的な接続を行なう接続部と、該接続部に接続された他の装置の二次電池の充電量を検出する検出手段と、該検出手段が検出した充電量に基づいて、前記接続部を介して前記二次電池への給電を行なう給電部とを備えることを特徴とする。
【００２９】
本発明に係る表示装置は、前記検出手段は、所定時間間隔で前記充電量を検出するように構成してあり、前記検出手段が検出した充電量を示す情報を表示する表示手段を備えることを特徴とする。
【００３０】
本発明による場合は、放送波の受信部からの映像を表示する表示装置が、二次電池を有する他の装置と接続部を介して電気的に接続される。前記表示装置は、接続された他の装置の二次電池の充電量を検出手段によって検出し、検出した充電量に基づいて前記接続部を介して前記二次電池へ給電部が給電を行なうことにより、表示装置に接続された他の装置における電力を維持することが可能となる。また、前記表示装置は、所定時間間隔で前記二次電池の充電量を検出し、検出した充電量を示す情報を表示手段によって表示することにより、表示装置を視聴するユーザが、表示装置に接続された他の装置の充電量を把握することが可能となる。
【発明の効果】
【００３１】
本発明によれば、筺体に形成された表示装置が、外部の装置の電気的な接続を直接的に行ない、接続された装置を固定することが可能な接続部を有することにより、ケーブルを用いる必要がなく、外部の装置と前記表示装置とを容易に接続させることができる。また、ケーブルを介した映像の伝送処理と比較して外部の装置と表示装置との間での伝送処理における処理負担を軽減することができる。
【００３２】
また、接続部を介して表示装置に接続された外部の装置を収納する収納部を表示装置の筺体に設けることによって、接続された外部の装置と表示装置との接続状態を確実に維持することができ、外部の装置と表示装置との間での画像の伝送処理を安定して実行することができる。更に、表示装置が、接続部への外部の装置の接続を検知することにより、外部の装置の接続を検知した場合には、接続された装置との間での画像の伝送処理を開始することができる。
【００３３】
本発明によれば、上述したような表示装置が有する接続部を介して前記表示装置に接続可能な撮像装置が、前記接続部を介して表示装置に接続された場合に、撮像装置の画像表示部が表示装置の表示部と同じ向きに配置され、表示装置の表示部と撮像装置の画像表示部とを同時に視聴することができることにより、例えば、同時に異なる画像を視聴することができる。また、異なる画像をそれぞれ別の表示部に表示させることにより、それぞれの画像を表示する表示画面に欠如領域が生じないため、それぞれ見易い表示画面を表示することができる。
【００３４】
更に、接続部を介して表示装置に接続された撮像装置の撮像部が表示装置の表示部の表示面と同じ向きの面上に配置することが可能であり、表示装置の表示部を視聴しているユーザを対面撮影することができることにより、例えば、表示装置及び撮像装置以外の外部の装置との間での通信機能を更に備えた場合にはテレビ電話システムを実現することができる。
【００３５】
本発明によれば、表示装置が有する接続部を介して撮像装置を前記表示装置に接続させてある表示装置システムにおいて、撮像装置の記録部に記録させてある映像を、撮像装置が備える画像表示部よりも通常は大型の表示装置の表示部に表示させることにより、撮像装置に記録させた映像を見易く表示させることができる。また、撮像装置は、記録部から異なる画像を同時に読み出し、読み出した画像のそれぞれを、表示装置の表示部と、該表示部と同じ向きに配置される撮像装置の画像表示部とに表示させることにより、同時に異なる画像を視聴することができる。なお、この場合には、それぞれの画像を表示する表示画面に欠如領域が生じないため、それぞれ見易い表示画面を表示することができる。更に、表示装置が撮像装置から取得した画像を表示する際に該画像に係る処理を実行することにより、前記処理における処理負担を撮像装置においては軽減することができる。
【００３６】
本発明によれば、撮像装置が、記録部に記録させてある画像から表示装置で表示させる画像の選択を受け付ける際に、記録部に記録させてある画像のサムネイルを表示することにより、ユーザは、表示装置に表示させたい画像を容易に選択することができる。また、表示装置だけでなく、撮像装置の画像表示部にも画像を表示させることができるため、表示装置の表示部及び撮像装置の画像表示部のそれぞれに表示させる画像をそれぞれ容易に選択することができる。
【００３７】
本発明によれば、表示装置が有する接続部を介して撮像装置を前記表示装置に接続させてある表示装置システムにおいて、表示装置が放送波から取得した映像を撮像装置で表示することにより、表示装置が取得した映像を表示装置だけでなく、撮像装置でも表示することができる。また、複数の放送受信部を有する表示装置を用いた場合に、表示装置及び撮像装置のそれぞれに表示させる映像を取得する受信部の選択をそれぞれ受け付けることにより、表示装置及び撮像装置のそれぞれに表示させる放送番組を自由に選択することができる。
【００３８】
また、異なる受信部が取得する映像の放送番組のそれぞれを、表示装置の表示部と、該表示部と同じ向きに配置される撮像装置の画像表示部とに表示させることにより、表示装置及び撮像装置で同時に視聴することができ、撮像装置の表示部と表示装置の表示部とを有効に利用することができる。更に、表示装置が放送波から取得した映像の録画装置として撮像装置を利用することもでき、ＶＣＲ、ＤＶＤレコーダ及びＨＤＤ（Hard Disk Drive）等の録画装置を別途に用意する必要がない。また、このように撮像装置に録画された映像を表示装置及び撮像装置で再生させることもできる。
【００３９】
本発明によれば、二次電池を備えた他の装置と前記二次電池への給電を行なう給電部を備えた表示装置とを電気的に接続させ、前記表示装置が、前記二次電池の充電量を検出し、検出した充電量に基づいて前記二次電池への給電を行なうことにより、表示装置へ接続させることのみによって前記二次電池を充電させることができ、前記他の装置における電力を常に維持することができる。また、前記他の装置を動作させていない状態において充電処理を行なうように構成した場合には、前記他の装置の通常動作を妨げることなく充電処理を行なうことができる。更に、前記表示装置は、所定時間間隔で前記二次電池の充電量を検出し、検出した充電量を示す情報を表示させることにより、表示装置を視聴するユーザが、表示装置に接続された他の装置の充電量を容易に把握することができる。
【発明を実施するための最良の形態】
【００４０】
以下に、本発明に係る表示装置システムをその実施の形態を示す図面に基づいて詳述する。
（実施の形態１）
図１は実施の形態１に係る表示装置システムの構成例を示す模式図である。本実施の形態に係る表示装置システム１００は、撮像装置としてのデジタルカメラ１と、表示装置としての液晶表示テレビジョン装置（以下、液晶テレビという）３とを備え、デジタルカメラ１と液晶テレビ３との間での電気的接続を直接的に行なうことにより構成されている。
【００４１】
液晶テレビ３は直方体状の筺体に形成されており、一側面の中央位置に表示部４３が配置されている。表示部４３は、複数の液晶素子を２次元マトリクス状に配列してなる液晶表示パネルにより構成されている。液晶テレビ３は、例えば図１に示すように表示部４３の左上方に、上面にカメラ接続コネクタ（接続部）５０を有する凸部５０ａが突設されている。
【００４２】
凸部５０ａの上面は、デジタルカメラ１の底面と同程度の大きさを有しており、凸部５０ａに矢符Ａで示す方向でデジタルカメラ１が搭載された場合に、凸部５０ａはカメラ接続コネクタ５０を介して接続されたデジタルカメラ１を支持して固定することができる。カメラ接続コネクタ５０は、例えばＩＥＥＥ（Institute of Electrical and Electronic Engineers）１３９４に準拠したコネクタを用いることができる。
【００４３】
デジタルカメラ１も直方体状の筺体に形成されており、その筺体に１８０°回転が可能なチルト機構（回転機構）に構成されたカメラ部（撮像部）１４が設けてある。これにより、図１に示すように、デジタルカメラ１は、液晶表示パネルにより構成される画像表示部２２と、例えばＣＣＤ（Charge Coupled Device）を用いたカメラ部１６とを同一の側面上に配置させることができる。デジタルカメラ１は、画像表示部２２及びカメラ部１４の形成面が液晶テレビ３の表示部４３と同じ向きに配置されるように矢符Ａで示す方向で液晶テレビ３の凸部５０ａに搭載される。これにより、液晶テレビ３を見ているユーザは、同時にデジタルカメラ１の画像表示部２２に表示される映像も見ることができる。
【００４４】
デジタルカメラ１は、液晶テレビ３の凸部５０ａに搭載された場合に液晶テレビ３のカメラ接続コネクタ５０に電気的に接続される同様の構成のテレビ接続コネクタ２９（図１においては省略、図２参照）を設けており、これらの接続コネクタ５０，２９を介して液晶テレビ３とデジタルカメラ１との間でデータの送受信処理が可能となる。
【００４５】
また、凸部５０ａの上面には、カメラ接続コネクタ５０を介してデジタルカメラ１が接続されたか否かを検知する検知器（検知手段）５０ｂが設けられている。検知器５０ｂは、例えば押し込み型の自動復帰スイッチを用いており、カメラ接続コネクタ５０を介して接続されるデジタルカメラ１により押下された場合に、所定の制御信号を液晶テレビ３の制御部３０（図４参照）へ送出するように構成されており、制御部３０は、検知器５０ｂからの制御信号に従って外部の装置としてデジタルカメラ１が取り付けられたことを検知し、デジタルカメラ１との間でデータの送受信が可能となる。
【００４６】
なお、デジタルカメラ１は、上述したようにカメラ部１４をチルト機構に構成しており、図１に示すように、液晶テレビ３の表示部４３及びデジタルカメラ１の画像表示部２２を視聴するユーザを対面撮影することが可能である。これにより、表示装置システム１００が外部の装置との通信機能を備えた場合には、テレビ電話システムとして利用することもできる。また、凸部５０ａはデジタルカメラ１の収納場所としても機能しており、デジタルカメラ１を使用していない場合に例えばデジタルカメラ１にカバーをかけることにより液晶テレビ３の見映えをよくすることもできる。
【００４７】
図２は本発明に係るデジタルカメラ１の構成例を示すブロック図である。デジタルカメラ１は、制御部１０、Ａ／Ｄ変換器１５、信号処理部１６、ＳＤＲＡＭインタフェース１７、画像圧縮伸張部１９、表示インタフェース２１、ＡＶ入力インタフェース２４、記録インタフェース２６、テレビ接続インタフェース２８等を備えており、それぞれはシステムバス１ａを介して相互に接続されている。
【００４８】
制御部１０は、タイマ（図示せず）を有するＣＰＵ（Central Processing Unit ）又はＭＰＵ（Micro Processor Unit）等により構成されており、システムバス１ａを介して接続される上述したようなハードウェア各部を制御すると共に、自身に接続してあるＲＯＭ１２に予め格納されている制御プログラムに従って種々の動作を実行する。ＲＯＭ１２は、デジタルカメラ１を本発明に係る撮像装置として動作させるために必要な種々の制御プログラムを予め記憶している。また、制御部１０は、システムバス１ａを介したデータ転送処理を高速に実行させるためのＤＭＡＣ（Direct Memory Access Control）１０ａを内蔵しており、システムバス１ａを介して接続されるハードウェア各部間のＤＭＡ転送処理を制御する。
【００４９】
制御部１０には、ＲＯＭ１２と同様に第３ＳＤＲＡＭ１３が接続されている。第３ＳＤＲＡＭ１３は、制御部１０による制御プログラムの実行時に発生するデータ、及びＤＭＡＣ１０ａによるデータ転送処理における各種のデータを一時的に記憶する。また、制御部１０は操作部１１と接続されている。操作部１１は、デジタルカメラ１を操作するために必要な各種のキーを備えており、ユーザにより各キーが操作された場合、操作されたキーに対応した制御信号を制御部１０へ送出し、制御部１０は取得した制御信号に対応した処理を実行する。
【００５０】
Ａ／Ｄ変換部１５にはカメラ部１４が接続されている。カメラ部１４は、ＣＣＤを介して入力された光信号を光電変換することによりアナログの画像信号を生成し、Ａ／Ｄ変換器１５へ入力する。Ａ／Ｄ変換器１５は、カメラ部１４から入力されたアナログの画像信号を所定の増幅率で増幅する増幅器（図示せず）、増幅された画像信号を一定のタイミング毎にサンプリングする相関二重サンプリング機能（ＣＤＳ）等を内蔵しており、ＣＤＳによるサンプリング処理により得られた各値をデジタル信号に変換し、得られたデジタルの画像信号を信号処理部１６へ入力する。
【００５１】
信号処理部１６は、カメラ部１４で撮像して得られた画像信号に対して例えば、ガンマ補正処理、フィルタリング処理、輪郭強調処理等の所定の信号処理を実行してＹＵＶ（Ｙ：輝度信号、Ｕ：赤の色差信号、Ｖ：青の色差信号）信号を生成する。また、カメラ部１４がチルト機構に構成されているため、信号処理部１６は、カメラ部１４を１８０°回転させた場合に撮像した画像信号を上下反転させるための信号処理も必要に応じて実行する。なお、信号処理部１６は、生成したＹＵＶ信号をシステムバス１ａに接続してあるＳＤＲＡＭインタフェース１７を介して第１ＳＤＲＡＭ１８に記憶させる。
【００５２】
ＡＶ入力インタフェース２４には、外部から映像信号（画像信号）を取得するＡＶ入力部２５が接続されており、ＡＶ入力部２５が取得した映像信号は、カメラ部１４で撮像して得られた画像信号と同様に、システムバス１ａを介して信号処理部１６へ入力される。また、信号処理部１６で所定の信号処理が実行されて生成されたＹＵＶ信号は、ＳＤＲＡＭインタフェース１７を介して第１ＳＤＲＡＭ１８に記憶される。従って、第１ＳＤＲＡＭ１８は、信号処理部１６により生成されたＹＵＶ信号をバッファリングするためのメモリとして利用される。なお、後述するようにテレビ接続コネクタ２９を介して液晶テレビ３から取得する映像信号も同様に信号処理部１６により所定の信号処理が施されて第１ＳＤＲＡＭ１８に記憶される。
【００５３】
画像圧縮伸張部１９は、例えばＭＰＥＧ（Moving Picture Expert Group）方式に基づく符号化処理（圧縮処理）及び復号処理（伸張処理）を行なうコーデックであり、第１ＳＤＲＡＭ１８に記憶させてある画像信号（ＹＵＶ信号）をＳＤＲＡＭインタフェース１７を介して取得し、所定の圧縮処理を実行する。なお、画像圧縮伸張部１９は、自身に接続された第２ＳＤＲＡＭ２０を圧縮処理及び伸張処理の際のバッファとして利用し、圧縮処理中に発生する動き予測用のデータ等を記憶する。また、第１ＳＤＲＡＭ１８に記憶させてあるＹＵＶ信号は、表示インタフェース２１を介して画像表示部２２に表示させることもでき、ＡＶ出力部２３を介して外部へ送出することもできる。
【００５４】
画像圧縮伸張部１９により圧縮処理が施された画像信号は、制御部１０のＤＭＡＣ１０ａによるＤＭＡ転送制御に従って第３ＳＤＲＡＭ１３に記憶される。なお、制御部１０は、ＲＯＭ１２に記憶されている所定の制御プログラムを実行することにより、第３ＳＤＲＡＭ１３に格納された画像信号に対してヘッダ情報の付加処理を実行する。ヘッダ情報は、例えば、各画像信号を記録媒体２７に記録させる際のファイル名及びフォルダ名、当該画像信号がＭＰＥＧ圧縮されたデータであることを示す識別子、記録媒体２７への記録時刻等を含む。
【００５５】
また、ヘッダ情報を付加された画像信号は、制御部１０のＤＭＡＣ１０ａによる制御に従って、システムバス１ａに接続してある記録インタフェース２６を介して記録媒体（記録部）２７に記録される。記録インタフェース（読出手段）２６は、記録媒体２７への信号（データ）の書込処理及び記録媒体２７からの信号の読出処理を制御する。記録媒体２７は、ＨＤＤ、光ディスク又はメモリカード等により構成されており、上述したように、制御部１０により所定のヘッダ情報が付加された画像信号を複数記録する。なお、記録媒体２７は、ヘッダ情報が付加された画像信号をそれぞれ画像ファイルとして記録しており、各画像ファイル毎に書込処理及び読出処理が行なわれる。また、記録媒体２７は、同時に複数（例えば２つ）の画像ファイルの書込処理又は読出処理の実行が可能であり、同時に異なる画像ファイルの書込処理及び読出処理の実行も可能である。
【００５６】
表示インタフェース２１には、液晶表示パネルからなる画像表示部２２と、外部へ映像信号を送出するＡＶ出力部２３とが接続されている。画像表示部２２は、デジタルカメラ１の動作状況、ユーザに通知すべき情報、信号処理部１６により所定の信号処理が実行された映像信号、記録媒体２７に記録させてある画像信号等の表示を行なう。ＡＶ出力部２３は、画像表示部２２が表示する上述した各画像信号の外部への送出を行なう。なお、画像表示部２２をタッチパネル方式のものとすることにより、操作部１１の各種のキーのうちの一部又は全部を代用することも可能である。
【００５７】
テレビ接続インタフェース２８は、図１においてデジタルカメラ１の筺体の底面部に設けられたテレビ接続コネクタ（装置接続部）２９と接続しており、テレビ接続コネクタ２９と直接的に接続される液晶テレビ３との間でのデータ（画像信号）の送受信を行なっている。従って、テレビ接続インタフェース２８は、カメラ部１４により取得した画像信号、記録媒体２７に記録させてある画像信号等を液晶テレビ３へ送出する送出手段として動作する。
【００５８】
以下に、上述した構成のデジタルカメラ１による撮影処理について説明する。デジタルカメラ１において、ユーザが操作部１１の所定のキーを操作することによりカメラ部１４による撮影処理の実行を指示した場合、カメラ部１４が被写体からの光信号に基づきアナログの画像信号を取得し、取得したアナログの画像信号をＡ／Ｄ変換器１５がデジタルの画像信号に変換する。また、生成されたデジタルの画像信号に信号処理部１６が所定の信号処理を実行してＹＵＶ信号を生成し、ＳＤＲＡＭインタフェース１７を介して第１ＳＤＲＡＭ１８に記憶させる。
【００５９】
次に、第１ＳＤＲＡＭ１８に記憶されたＹＵＶ信号は、ＳＤＲＡＭインタフェース１７を介して画像圧縮伸張部１９に読み出されてＭＰＥＧ圧縮され、制御部１０のＤＭＡＣ１０ａを介して第３ＳＤＲＡＭ１３に一旦格納される。第３ＳＤＲＡＭ１３に記憶された圧縮データは、対応するヘッダ情報を付加され、ＤＭＡＣ１０ａ及び記録インタフェース２６を介して記録媒体２７に記録される。
【００６０】
以下に、デジタルカメラ１において、上述したように記録媒体２７に記録された画像信号の再生処理について説明する。デジタルカメラ１において、ユーザが操作部１１の所定のキーを操作することにより記録媒体２７に記録させてある画像信号の再生処理の実行を指示した場合、制御部１０は、記録媒体２７に記録させてある画像信号を選択するために各画像のサムネイルを含む選択画面を画像表示部２２に表示させる。図３はデジタルカメラ１が表示する選択画面の構成例を示す模式図であり、選択画面２２ａにおいて、図中の四角はそれぞれ記録媒体２７に記録させてある画像信号のサムネイル画像を示している。なお、記録媒体２７に記録してある画像信号が動画像の場合には、それぞれの動画像における先頭の画像又は所定時間が経過した時点での画像をサムネイル画像として表示する。
【００６１】
具体的には、記録媒体２７は、圧縮された画像信号と共に、各画像信号のサムネイル画像情報を圧縮して記録しており、制御部１０は、選択画面２２ａで表示される個数分のサムネイル画像情報を記録媒体２７から読み出して第３ＳＤＲＡＭ１３に一旦記憶させる。制御部１０は、読み出したサムネイル画像情報を順に画像圧縮伸張部１９で伸張処理を行なって第１ＳＤＲＡＭ１８に蓄積し、図３に示すような選択画面２２ａを表示できる画面情報を生成する。生成された画面情報は、所定のタイミングで表示インタフェース２１を介して画像表示部２２に表示される。選択画面２２ａは、記録媒体２７に記録させてある画像信号のサムネイル画像を一覧表示することにより、ユーザが所望の画像信号を容易に選択することができる。
【００６２】
ユーザは、選択画面２２ａを参照しながら操作部１１の図示しないカーソルキーを操作することにより所望する映像を選択することができる。図３では画像２２ｂが選択されており、ユーザが操作部３１の所定の確定ボタン（図示せず）をオンした場合、制御部１０は、記録媒体２７に記録させてある画像信号の選択を受け付ける受付手段として動作し、選択された画像信号を記録媒体２７から読み出してＤＭＡＣ１０ａを介して一旦第３ＳＤＲＡＭ１３に記憶させる。制御部１０は、記録媒体２７から読み出されて第３ＳＤＲＡＭ１３に記憶された画像信号（圧縮データ）のヘッダ情報を検出し、ＤＭＡＣ１０ａを介して画像圧縮伸張部１９へ入力する。
【００６３】
上述のように記録媒体２７から読み出された画像信号は、画像圧縮伸張部１９により伸張処理を実行された後、第１ＳＤＲＡＭ１８に一旦記憶され、制御部１０による制御に従って、表示インタフェース２１を介して画像表示部２２に入力されて画像表示部２２に表示される。このように、記録媒体２７に圧縮した画像信号を記録させることにより、多数の画像信号の記録が可能となる。
【００６４】
図４は本発明に係る液晶テレビ３の構成例を示すブロック図である。液晶テレビ３は、制御部３０、アナログチューナ（受信部）３４、信号処理部３５、ＳＤＲＡＭインタフェース３８、画像圧縮伸張部４０、表示インタフェース４２、デジタル入出力インタフェース４５、カメラ接続インタフェース４９等を備えており、それぞれはシステムバス３ａを介して相互に接続されている。
【００６５】
制御部３０は、タイマ（図示せず）を有するＣＰＵ又はＭＰＵ等により構成されており、システムバス３ａを介して接続される上述したようなハードウェア各部を制御すると共に、自身に接続してあるＲＯＭ３２に予め格納されている制御プログラムに従って種々の動作を実行する。ＲＯＭ３２は、液晶テレビ３を本発明に係る表示装置として動作させるために必要な種々の制御プログラムを予め記憶している。また、制御部３０は、システムバス３ａを介したデータ転送処理を高速に実行させるためのＤＭＡＣ３０ａを内蔵している。
【００６６】
制御部３０は操作部３１と接続されている。操作部３１は、液晶テレビ３を操作するために必要な各種のキーを備えており、ユーザにより各キーが操作された場合、操作されたキーに対応した制御信号を制御部３０へ送出し、制御部３０は取得した制御信号に対応した処理を実行する。例えば操作部３１は、後述するアナログチューナ３４及びデジタルチューナ４７が取得するテレビジョン信号における放送チャンネルの選択を設定するように構成されており、ユーザにより操作された放送チャンネルに従った信号を制御部３０へ送出した場合、制御部３０は放送チャンネルの選択を受け付ける。
【００６７】
アナログチューナ３４は、例えばＵＨＦテレビジョン放送信号及びＶＨＦテレビジョン放送信号等のアナログの映像信号を受信するためのチューナであり、ユーザにより選択された放送チャンネルに応じてアナログアンテナ３３が受信した電波を検波し、得られた映像信号を信号処理部３５へ入力する。信号処理部３５は、アナログチューナ３４から入力された映像信号に対して例えば、ＹＣ分離処理、Ａ／Ｄ変換処理等の所定の信号処理を実行し、得られた映像信号をＳＤＲＡＭインタフェース３８を介して第１ＳＤＲＡＭ３９に記憶させる。
【００６８】
また、信号処理部３５には、ＡＶ入力部３７を接続するＡＶ入力インタフェース３６が接続されており、ＡＶ入力部３７が外部から取得した映像信号に、アナログチューナ３４が取得した映像信号と同様に、所定の信号処理を実行してＹＵＶ信号を生成し、ＳＤＲＡＭインタフェース３８を介して第１ＳＤＲＡＭ３９に記憶させる。従って、第１ＳＤＲＡＭ３９は、信号処理部３５により生成されたＹＵＶ信号の画像データをバッファリングするためのメモリとして利用される。
【００６９】
画像圧縮伸張部４０は、例えばＭＰＥＧ方式に基づく圧縮処理及び伸張処理を行なうコーデックであり、第１ＳＤＲＡＭ３９に記憶させてある映像信号をＳＤＲＡＭインタフェース３８を介して取得し、所定の圧縮処理を実行する。なお、画像圧縮伸張部４０は、自身に接続された第２ＳＤＲＡＭ４１を圧縮処理及び伸張処理の際のバッファとして利用し、圧縮処理中に発生する動き予測用のデータ等を記憶する。また、第１ＳＤＲＡＭ３９に記憶させてあるＹＵＶ信号は、表示インタフェース４２を介して表示部４３に表示させることもでき、ＡＶ出力部４４を介して外部へ送出することもできる。
【００７０】
表示インタフェース４２には、液晶表示パネルからなる表示部４３と、外部へ映像信号を送出するＡＶ出力部４４とが接続されている。表示部４３は、液晶テレビ３の動作状況、ユーザに通知すべき情報、信号処理部３５により所定の信号処理が実行された映像信号等の表示を行なう。ＡＶ出力部４４は、表示部４３が表示する上述した各映像信号の外部への送出を行なう。なお、表示部４３をタッチパネル方式のものとすることにより、操作部３１の各種のキーのうちの一部又は全部を代用することも可能である。
【００７１】
デジタル入出力インタフェース４５には、デジタルチューナ（デジタル放送受信部）４７と、外部との間でのデジタルデータの入出力処理を行なうデジタル入出力部４８とが接続されている。デジタルチューナ４７は、例えば地上波デジタル放送信号又はＢＳデジタル放送信号等のデジタルの映像信号を受信するためのチューナであり、ユーザにより選択された放送チャンネルに応じてデジタルアンテナ４６で受信した電波を検波してデジタルの映像信号を抽出する。また、デジタルチューナ４７は、取得したデジタルの映像信号をデジタル入出力インタフェース４５を介して画像圧縮伸張部４０へ入力する。
【００７２】
デジタル入出力部４８は、外部から入力されたデジタルデータをデジタル入出力インタフェース４５を介して画像圧縮伸張部４０へ入力し、また、画像圧縮伸張部４０で所定の圧縮処理又は伸張処理が施されたデジタルデータを、接続された図示しない外部の装置へ出力する。カメラ接続インタフェース４９は、図１において凸部５０ａの上面部に設けられたカメラ接続コネクタ５０と接続しており、カメラ接続コネクタ５０と直接的に接続されるデジタルカメラ１との間でのデータ（映像信号）の送受信を行なっている。従って、カメラ接続インタフェース４９は、アナログチューナ３４により取得した映像信号、デジタルチューナ４７により取得した映像信号、ＡＶ入力部３７から入力された映像信号、デジタル入出力部４８から入力された映像信号等をデジタルカメラ１へ送出する映像送出手段として動作する。
【００７３】
以下に、上述した構成の液晶テレビ３によるアナログ放送信号の受信処理について説明する。液晶テレビ３において、ユーザが操作部３１の所定のキーを操作することによりアナログ放送信号による放送番組の視聴を指示した場合、アナログアンテナ３３で捉えた電波に基づきアナログチューナ３４がアナログの映像信号を取得し、取得した映像信号を信号処理部３５が、所定の信号処理を実行し、ＳＤＲＡＭインタフェース３８を介して第１ＳＤＲＡＭ３９に記憶させる。第１ＳＤＲＡＭ３９に記憶された映像信号は、表示インタフェース４２を介して表示部４３に入力され、表示部４３に表示される。
【００７４】
また、デジタル放送信号を受信する場合、液晶テレビ３は、デジタルアンテナ４６で捉えた電波に基づきデジタルチューナ４７がデジタルの映像信号を取得し、取得した映像信号を画像圧縮伸張部４０が所定の伸張処理を実行して第１ＳＤＲＡＭ３９に記憶させる。第１ＳＤＲＡＭ３９に記憶された画像データは、表示インタフェース４２を介して表示部４３に入力され、表示部４３に表示される。
【００７５】
以下に、上述した構成のデジタルカメラ１及び液晶テレビ３からなる表示装置システム１００における利用形態について説明する。上述した構成の表示装置システム１００では、例えば、液晶テレビ３がアナログ放送信号とデジタル放送信号とを同時に受信し、アナログ放送信号による放送番組をデジタルカメラ１の画像表示部２２に表示させると同時に、デジタル放送信号による放送番組を液晶テレビ３の表示部４３に表示させる利用形態が可能である。以下に、このような利用形態におけるデジタルカメラ１及び液晶テレビ３の動作について説明する。
【００７６】
表示装置システム１００において、デジタルカメラ１の制御部１０及び液晶テレビ３の制御部３０は、ユーザによる操作部１１，３１の操作により液晶テレビ３がアナログ放送信号とデジタル放送信号とを同時に受信し、アナログ放送信号による放送番組をデジタルカメラ１の画像表示部２２に表示させると同時に、デジタル放送信号による放送番組を液晶テレビ３の表示部４３に表示させる処理の実行が指示された場合、液晶テレビ３の制御部３０は、アナログチューナ３４及びデジタルチューナ４７によりそれぞれアナログアンテナ３３及びデジタルアンテナ４６を介して映像信号を取得する。デジタルチューナ４７が取得したデジタルの映像信号は、画像圧縮伸張部４０により所定の伸張処理を実行されて第１ＳＤＲＡＭ３９に記憶され、所定のタイミングで表示インタフェース４２を介して表示部４３に表示される。
【００７７】
制御部３０は同時に、アナログチューナ３４が取得したアナログの映像信号に信号処理部３５により所定の信号処理を実行し、カメラ接続インタフェース４９を介してカメラ接続コネクタ５０から映像信号をデジタルカメラ１へ送出する。液晶テレビ３から映像信号を取得したデジタルカメラ１の制御部１０は、取得した映像信号に信号処理部１６により所定の信号処理を実行して第１ＳＤＲＡＭ１８に記憶させ、所定のタイミングで表示インタフェース２１を介して画像表示部２２に表示させる。
【００７８】
なお、デジタルカメラ１は、液晶テレビ３から取得した映像信号を記録媒体２７に記録させておくことも可能であり、この場合、制御部１０は、第１ＳＤＲＡＭ１８に記憶させた映像信号に画像圧縮伸張部１９により所定の圧縮処理を実行して一旦第３ＳＤＲＡＭ１３に記憶させ、ヘッダ情報を付加した後、記録媒体２７に記録させる。このようにデジタルカメラ１の記録媒体２７に記録する映像信号を圧縮することにより、各映像信号のデータ量を削減することができる。
【００７９】
一方、アナログ放送信号とデジタル放送信号とを同時に受信した液晶テレビ３が、アナログ放送信号による放送番組を自身の表示部４３に表示させると同時に、デジタル放送信号による放送番組をデジタルカメラ１の画像表示部２２に表示させる場合には、アナログチューナ３４により取得したアナログの映像信号に信号処理部３５により所定の信号処理を実行して所定のタイミングで表示部４３に表示させる。同時に、デジタルチューナ４７により取得したデジタルの映像信号をカメラ接続コネクタ５０からデジタルカメラ１へ送出し、デジタルカメラ１において、取得した映像信号に画像圧縮伸張部１９により所定の伸張処理を実行して所定のタイミングで画像表示部２２に表示させる。
【００８０】
次に、上述の表示装置システム１００では、例えば、液晶テレビ３が取得するアナログ放送信号（又はデジタル放送信号）をデジタルカメラ１の画像表示部２２に表示させると同時に、デジタルカメラ１の記録媒体２７に記録させてある画像信号を液晶テレビ３の表示部４３に表示させる利用形態が可能であり、以下にこの場合のデジタルカメラ１及び液晶テレビ３の動作について説明する。なお、液晶テレビ３が取得したアナログ放送信号（又はデジタル放送信号）のデジタルカメラ１による表示処理は、上述の利用形態における処理と同様であるため説明を省略する。
【００８１】
表示装置システム１００において、デジタルカメラ１の記録媒体２７に記録させてある画像信号を液晶テレビ３の表示部４３に表示させる場合、デジタルカメラ１の制御部１０は、図３に示すような選択画面２２ａを画像表示部２２に表示させる。また、選択画面２２ａに従ってユーザが所望する画像信号を選択した場合、制御部１０は、選択された画像信号（圧縮データ）を記録インタフェース２６を介して読み出し、テレビ接続インタフェース２８を介してテレビ接続コネクタ２９から液晶テレビ３へ送出する。
【００８２】
デジタルカメラ１から画像信号を取得した液晶テレビ３の制御部３０は、取得した画像信号に画像圧縮伸張部（画像伸張手段）４０により所定の伸張処理を実行して所定のタイミングで表示部４３に表示させる。なお、デジタルカメラ１の記録媒体２７は、異なる画像信号の読出処理及び書込処理を同時に実行することが可能であり、上述したようにユーザにより選択された画像信号の読出処理を行なうと同時に、液晶テレビ３から取得するアナログ放送信号（又はデジタル放送信号）の記録処理も実行することもできる。なお、デジタルカメラ１に記録させてある圧縮された画像信号に、液晶テレビ３の画像圧縮伸張部４０が伸張処理を行なうことにより、デジタルカメラ１から液晶テレビ３へ伝送されるデータ量を削減することができるため、伝送処理における両装置の処理負担を軽減することができる。
【００８３】
更に、上述の表示装置システム１００では、デジタルカメラ１の記録媒体２７から複数（ここでは２つ）の画像信号を同時に読み出し、一方をデジタルカメラ１の画像表示部２２に、他方を液晶テレビ３の表示部４３に表示させる利用形態が可能であり、以下にこの場合のデジタルカメラ１及び液晶テレビ３の動作について説明する。表示装置システム１００において、デジタルカメラ１の制御部１０及び液晶テレビ３の制御部３０は、ユーザによる操作部１１，３１の操作によりデジタルカメラ１の記録媒体２７に記録させてある画像信号の再生処理の実行が指示された場合、デジタルカメラ１の制御部１０は、図３に示すような選択画面２２ａを画像表示部２２に表示させる。
【００８４】
また、選択画面２２ａに従ってユーザが所望する画像信号を選択すると共に選択した画像信号の液晶テレビ３による再生処理の実行を指示した場合、制御部１０は、選択された画像信号（圧縮データ）を記録インタフェース２６により読み出し、テレビ接続インタフェース２８を介してテレビ接続コネクタ２９から液晶テレビ３へ送出する。液晶テレビ３の制御部３０は、取得した画像信号に画像圧縮伸張部４０により所定の伸張処理を実行して所定のタイミングで表示部４３に表示させることにより、デジタルカメラ１の画像表示部２２に図３に示す選択画面２２ａを表示させたまま、ユーザが選択した画像信号を液晶テレビ３の表示部４３に表示させることができる。
【００８５】
デジタルカメラ１の画像表示部２２は、ユーザがデジタルカメラ１の操作部１１及び／又は液晶テレビ３の操作部３１を操作することにより表示画面を切り替えるように構成されており、例えば、上述のように選択画面２２ａが表示されている状態から、別途にユーザが選択した画像信号の再生状態に切り替えることができる。従って、デジタルカメラ１の制御部１０は、ユーザにより選択された画像信号の画像表示部２２への表示が指示された場合、選択された画像信号を記録媒体２７から読み出し、画像圧縮伸張部１９により所定の伸張処理を実行した後、所定のタイミングで画像表示部２２に表示させる。これにより、デジタルカメラ１に記録させてある異なる画像信号をデジタルカメラ１の画像表示部２２と液晶テレビ３の表示部４３とにそれぞれ表示させることができる。
【００８６】
上述したように、デジタルカメラ１と液晶テレビ３との間においてデジタル信号の送受信処理を行なう場合に、圧縮された状態で送受信を行なうことにより、送受信処理における処理負担が軽減される。また、デジタルカメラ１の画像表示部２２及び液晶テレビ３の表示部４３には、それぞれ異なる又は同一の映像信号（画像信号）がそのまま表示されるため、例えば、複数の映像信号を互いに上書きするように合成した場合に生じる欠如領域の発生を確実に防止することができ、それぞれ見易い表示画面を表示することができる。
【００８７】
更に、表示装置システム１００を外部の通信線との接続が可能に構成することにより、デジタルカメラ１で取得した画像信号を外部の装置へ送信すると共に、外部の装置から受信した画像信号を液晶テレビ３で表示させた場合には、この表示装置システム１００をテレビ電話システムとして利用することも可能となる。
【００８８】
上述した実施の形態の表示装置システム１００において、デジタルカメラ１は記録媒体２７を１つしか備えていないが複数の記録媒体を備えた構成でもよい。また、表示装置としては液晶テレビ３に限られず、ＣＲＴディスプレイを備えたテレビジョン装置であってもよく、更に、テレビジョン装置にも限られず、例えばチューナ装置を介して映像信号を受信するように構成されたディスプレイ装置であってもよい。
【００８９】
また、上述した表示装置システム１００では、液晶テレビ３は、アナログチューナ３４及びデジタルチューナ４７をそれぞれ１つしか備えていないが、それぞれ２つ以上備えた構成でもよい。具体的に、２つのアナログチューナ（それぞれを第１アナログチューナ，第２アナログチューナとする）が搭載された液晶テレビ３を備える表示装置システム１００においては、例えば、液晶テレビ３が第１アナログチューナで取得したアナログ放送信号による放送番組を液晶テレビ３の表示部４３に表示させると同時に、第２アナログチューナで取得したアナログ放送信号による放送番組をデジタルカメラ１の画像表示部２２に表示させる利用形態が可能である。
【００９０】
この場合、液晶テレビ３の制御部３０は、第１アナログチューナにより取得した映像信号に信号処理部３５により所定の信号処理を実行して第１ＳＤＲＡＭ１８に記憶させ、所定のタイミングで画像表示部２２に表示させる。同時に制御部３０は、第２アナログチューナにより取得した映像信号にも所定の信号処理を実行してカメラ接続コネクタ５０からデジタルカメラ１へ送出する。デジタルカメラ１は、取得した映像信号に信号処理部１６により所定の信号処理を実行し、所定のタイミングで画像表示部２２に表示させる。
【００９１】
同様に、２つのデジタルチューナ（それぞれを第１デジタルチューナ，第２デジタルチューナとする）が搭載された液晶テレビ３を備える表示装置システム１００においては、例えば、液晶テレビ３が第１デジタルチューナで取得したデジタル放送信号による放送番組を液晶テレビ３の表示部４３に表示させると同時に、第２デジタルチューナで取得したアナログ放送信号による放送番組をデジタルカメラ１の画像表示部２２に表示させる利用形態が可能である。
【００９２】
この場合、液晶テレビ３の制御部３０は、第１デジタルチューナにより取得した映像信号に画像圧縮伸張部４０により所定の伸張処理を実行して第１ＳＤＲＡＭ１８に記憶させ、所定のタイミングで表示部４３に表示させる。同時に制御部３０は、第２デジタルチューナにより取得した映像信号をカメラ接続コネクタ５０からデジタルカメラ１へ送出し、デジタルカメラ１において、画像圧縮伸張部１９により所定の伸張処理が実行され、所定のタイミングで画像表示部２２に表示される。
【００９３】
（実施の形態２）
以下に、実施の形態２における表示装置システムについて詳述する。なお、本実施の形態２の表示装置システム１０１は、上述した実施の形態１の表示装置システム１００と同様の構成を有しており、同様の構成については同一の符号を付して説明を省略する。図５は実施の形態２に係る表示装置システムの構成例を示すブロック図である。本実施の形態２に係る表示装置システム１０１において、デジタルカメラ１は、図２で示した各構成のほかに、電池接続部５２と、電池接続部５２に接続された二次電池５３とを備えている。電池接続部５２は、二次電池５３における電力の残量（充電量）を検出する検出回路を備えており、検出した充電量をテレビ接続インタフェース２８及びテレビ接続コネクタ２９を介して液晶テレビ３へ通知する。液晶テレビ３は、図４で示した各構成のほかに、給電部５１を備えている。なお、液晶テレビ３の制御部３０は図示しないタイマを内蔵している。
【００９４】
本実施の形態２の液晶テレビ３のカメラ接続コネクタ５０は、カメラ接続インタフェース４９と信号線を介して接続されるほかに、給電部５１と給電線を介して接続されている。また、デジタルカメラ１のテレビ接続コネクタ２９は、テレビ接続インタフェース２８と信号線を介して接続されるほかに、二次電池５３と給電線を介して接続されている。従って、液晶テレビ３のカメラ接続コネクタ５０と、デジタルカメラ１のテレビ接続コネクタ２９とは、相互にデータを伝送するためのピンと、液晶テレビ３の給電部からの電力をデジタルカメラ１の二次電池へ供給するためのピン５４とを有している。
【００９５】
上述した構成の液晶テレビ３の制御部３０は、実施の形態１において説明した通り、検知器５０ｂ（図１参照）からの制御信号に従ってデジタルカメラ１が取り付けられたことを検知した場合、カメラ接続インタフェース４９及びカメラ接続コネクタ５０を介して、デジタルカメラ１の制御部１０に、二次電池５３の電力の残量を検出するように要求する。デジタルカメラ１の制御部１０は、電池接続部５２により二次電池５３における電力の残量（充電量）を検出し、検出した充電量を示す信号を、テレビ接続インタフェース２８及びテレビ接続コネクタ２９を介して液晶テレビ３へ送信する。
【００９６】
液晶テレビ３の制御部（検出手段）３０は、デジタルカメラ１からの前記信号を取得することによりデジタルカメラ１の二次電池５３の充電量を検出することができ、検出した充電量が例えば所定量よりも少ない場合に給電部５１に給電処理を実行させる。給電処理を実行させる閾値としての前記所定量は、二次電池５３の最大充電量であってもよく、この最大充電量に対して、例えば半分の量であってもよい。給電部５１は、内部に切替スイッチを有しており、制御部３０からの制御に従って、カメラ接続コネクタ５０を介してデジタルカメラ１の二次電池５３への給電を行なう。
【００９７】
また、液晶テレビ３の制御部３０は、デジタルカメラ１から取得する二次電池５３の充電量を示す信号に基づいて、この充電量を表示部４３に表示する。具体的には、表示部４３の表示画面の一部を二次電池５３の充電量の表示専用に用い、制御部３０がタイマで計時した所定の時間毎に検出したデジタルカメラ１の二次電池５３の充電量を、例えば最大充電量に対して１００％，７５％，５０％，２５％，０％を示すグラフィックで表示させる。なお、充電量を表示する充電量表示画面（図示せず）のためのデータはＲＯＭ３２に予め記憶させておく。
【００９８】
また、このように表示部４３に充電量の表示専用の領域を設けずに、例えば、液晶テレビ３に４つのＬＥＤを設け、最大充電量に対して１００％，７５％，５０％，２５％，０％を、それぞれ４つのＬＥＤの点灯、３つのＬＥＤの点灯、２つのＬＥＤの点灯、１つのＬＥＤの点灯、全てのＬＥＤの消灯によって表示させることもできる。更には、表示部４３に充電量の表示専用の領域を設けずに、また、充電量の表示専用のＬＥＤを設けずに、給電部５１による給電処理の開始時及び終了時に「給電処理を開始します」及び「給電処理を終了しました」等を表示部４３に一時的に表示させる構成としてもよい。
【００９９】
以下に、本発明の表示装置システム１０１における液晶テレビ３の給電部５１によるデジタルカメラ１の二次電池５３への給電処理の動作について説明する。図６は液晶テレビ３の給電部５１によるデジタルカメラ１の二次電池５３への給電処理手順を示すフローチャートである。
【０１００】
液晶テレビ３の制御部３０は、検知部５０ｂ（図１参照）からの制御信号に従って、カメラ接続コネクタ５０を介してデジタルカメラ１が接続されているか否かを判断しており（Ｓ１）、デジタルカメラ１が接続されていると判断した場合（Ｓ１：ＹＥＳ）、カメラ接続インタフェース４９及びカメラ接続コネクタ５０を介して、デジタルカメラ１の制御部１０に、二次電池５３の電力の残量（充電量）の検出を要求する（Ｓ２）。
【０１０１】
デジタルカメラ１の制御部１０は、液晶テレビ３から二次電池５３の充電量の検出を要求された場合、電池接続部５２によって前記充電量を検出する（Ｓ３）。また、制御部１０は、電池接続部５２が検出した充電量を示す信号をテレビ接続インタフェース２８及びテレビ接続コネクタ２９を介して液晶テレビ３へ送信する（Ｓ４）。
【０１０２】
液晶テレビ３の制御部３０は、デジタルカメラ１からの前記信号を取得した場合、ＲＯＭ３２から充電量表示画面のデータを読み出し、読み出したデータにデジタルカメラ１から取得した信号が示す二次電池５３の充電量を付加して表示インタフェース４２を介して表示部４３に表示させる（Ｓ５）。
【０１０３】
また、制御部３０は、デジタルカメラ１から取得した信号に基づいて二次電池５３の充電量が所定量よりも多いか否かを判断し（Ｓ６）、多くないと判断した場合（Ｓ６：ＮＯ）、給電部５１による二次電池５３への給電処理を実行させる（Ｓ８）。一方、充電量が所定量よりも多いと判断した場合（Ｓ６：ＹＥＳ）、制御部３０は、給電部５１による二次電池５３への給電処理が実行中であれば終了させる（Ｓ７）。制御部３０は、自身のタイマで所定時間を計時して所定時間が経過したか否かを判断し（Ｓ９）、所定時間が経過していないと判断した場合（Ｓ９：ＮＯ）、所定時間が経過するまで待機する。
【０１０４】
制御部３０は、所定時間が経過したと判断した場合（Ｓ９：ＹＥＳ）、ステップＳ１の処理へ移行し、ステップＳ１からＳ８までの処理を繰り返す。一方、ステップＳ１で、制御部３０は、デジタルカメラ１が接続されていないと判断した場合（Ｓ１：ＮＯ）、処理を終了する。
【０１０５】
上述したように、デジタルカメラ１の接続が可能な液晶テレビ３が、接続されたデジタルカメラ１の二次電池５３への給電処理が可能に構成されていることにより、デジタルカメラ１における電力を確実に維持することができる。また、上述した例では、デジタルカメラ１の電池接続部５２によって検出された二次電池５３の充電量に基づいて給電処理を実行させる構成を説明したが、このような給電処理と共に、例えばデジタルカメラ１及び／又は液晶テレビ３が作動していない場合に給電処理を行なう構成としてもよく、この場合には、デジタルカメラ１の通常動作を妨げることがない。更に、上述した例では、液晶テレビ３の給電部５１が制御部３０の制御に従って給電処理を行なうか否かの切替を行なう構成を説明したが、デジタルカメラ１の二次電池５３に切替スイッチを設けて二次電池５３側で給電処理の切替を行なうこともできる。
【０１０６】
上述した実施の形態２では、液晶テレビ３とデジタルカメラ１とはそれぞれ、カメラ接続コネクタ５０及びテレビ接続コネクタ２９を介して直接的に接続される構成について説明したが、給電線を有するケーブルを介して液晶テレビ３とデジタルカメラ１とを接続する構成としてもよい。また、実施の形態２における表示装置システム１０１においても、上述の実施の形態１で説明した変形例と同様の変形例の適用が可能である。
【０１０７】
（実施の形態３）
以下に、実施の形態３における表示装置システムについて詳述する。なお、上述した実施の形態１及び２の表示装置システム１００及び１０１と同様の構成については同一の符号を付して説明を省略する。図７は実施の形態３に係る表示装置システムの構成例を示す模式図である。本実施の形態３に係る表示装置システム１０２において、液晶テレビ３は、例えば表示部４３の右上方の隅を切り欠いて、デジタルカメラ１と同程度の大きさを有する凹部５０ｃが設けられている。凹部５０ｃの上面には、矢符Ｂで示す方向でデジタルカメラ１が搭載された場合に、デジタルカメラ１の底面に設けられたテレビ接続コネクタ（図示せず）との接続が可能なカメラ接続コネクタ５０が設けられている。これにより、液晶テレビ３は、凹部５０ｃに搭載されてカメラ接続コネクタ５０を介して接続されたデジタルカメラ１を安定して支持することができる。
【０１０８】
本実施の形態３のデジタルカメラ１及び液晶テレビ３は、実施の形態１又は２で示したデジタルカメラ１及び液晶テレビ３と同様の構成であり、また、本実施の形態３の表示装置システム１０２におけるデジタルカメラ１及び液晶テレビ３は、実施の形態１及び２に係る表示装置システム１００，１０１におけるデジタルカメラ１及び液晶テレビ３と同様の動作を行なうため説明を省略する。また、本実施の形態３における表示装置システム１０２においても、上述の実施の形態１で説明した変形例と同様の変形例の適用が可能である。
【０１０９】
上述したように実施の形態１及び２で示した液晶テレビ３は、接続されるデジタルカメラ１を凸部５０ａに搭載することにより支持しており、実施の形態３で示した液晶テレビ３は、デジタルカメラ１を凹部５０ｃに嵌合させることにより支持しているため、液晶テレビ３とデジタルカメラ１との接続状態を維持する。また、液晶テレビ３の筺体にデジタルカメラ１が収納できる形状の収納部を設け、この収納部の内部に接続コネクタを備えることにより、液晶テレビ３とデジタルカメラ１との接続状態をより確実に維持することが可能となる。
【図面の簡単な説明】
【０１１０】
【図１】実施の形態１に係る表示装置システムの構成例を示す模式図である。
【図２】本発明に係るデジタルカメラの構成例を示すブロック図である。
【図３】デジタルカメラが表示する選択画面の構成例を示す模式図である。
【図４】本発明に係る液晶テレビの構成例を示すブロック図である。
【図５】実施の形態２に係る表示装置システムの構成例を示すブロック図である。
【図６】液晶テレビの給電部によるデジタルカメラの二次電池への給電処理手順を示すフローチャートである。
【図７】実施の形態３に係る表示装置システムの構成例を示す模式図である。
【符号の説明】
【０１１１】
１００，１０１，１０２  表示装置システム
１  デジタルカメラ（撮像装置）
１０  制御部（受付手段）
１４  カメラ部（撮像部）
２２  画像表示部
２６  記録インタフェース（読出手段）
２７  記録媒体（記録部）
２８  テレビ接続インタフェース（送出手段）
２９  テレビ接続コネクタ（装置接続部）
３  液晶テレビ（表示装置）
３０  制御部（検出手段）
３４  アナログチューナ（受信部）
４０  画像圧縮伸張部（画像伸張部）
４３  表示部
４７  デジタルチューナ（デジタル放送受信部）
４９  カメラ接続インタフェース（映像送出手段）
５０  カメラ接続コネクタ（接続部）
５０ｂ  検知器（検知手段）
５１  給電部
５２  電池接続部
５３  二次電池
【図１】
2005260591.tif 000003
【図２】
2005260591.tif 000004
【図３】
2005260591.tif 000005
【図４】
2005260591.tif 000006
【図５】
2005260591.tif 000007
【図６】
2005260591.tif 000008
【図７】
2005260591.tif 000009